【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
多重入力多重出力（multiple input multiple output, MIMO）無線システムにおいて通信するための方法であって、
受信機において複数の受信アンテナを介して複数の信号を受信し、複数の受信アンテナの各々における受信信号の各々が、送信機から伝送された１つ以上の信号の組み合わせを含むことと、
複数の受信信号を処理して、受信機と送信機との間の複数の伝送チャネルの特徴を示すチャネル状態情報（channel state information, CSI）を得ることと、
ＣＳＩを送信機へ伝送し、各送信アンテナにおける使用可能な制限された電力に応じて、かつＣＳＩに部分的に基づく水注入式にしたがって、送信機が、反復方式を用いて、送信機における複数の送信アンテナ上の複数の周波数ビンの周波数ビンエネルギーを計算し、さらに加えて、送信機が、計算された周波数ビンエネルギーにしたがって、変調シンボルを調整することとを含む方法。
【請求項２】
非線形式の組を解き、一方で誤差の程度を許容レベルに維持することによって、周波数ビンエネルギーを計算する請求項１記載の方法。
【請求項３】
各送信アンテナにおける電力が制限されているＭＩＭＯ通信システムにおいて、各送信アンテナにおける各ＯＦＤＭ周波数ビンへのビンエネルギーレベルの割り当てを判断するための方法であって、
各アンテナにおける各ＯＦＤＭ周波数ビンへの前記割り当てのビンエネルギーレベルの成分を含む解ベクトルの推定値を判断することと、
前記判断された解ベクトルに基づいて、誤差関数を判断することと、
前記判断された誤差関数に基づいて、誤差の大きさを判断することと、
前記誤差の大きさと誤差の閾値とを比較することと、
前記誤差の大きさが前記誤差の閾値よりも小さいときは、前記割り当てのビンエネルギーレベルの前記成分と共に、前記解ベクトルの前記推定値を受け取ることとを含む方法。
【請求項４】
前記解ベクトルの前記推定値の前記判断、前記誤差関数と前記誤差の大きさとの前記判断、および前記誤差の大きさと前記誤差の閾値との前記比較を、前記誤差の大きさが前記誤差の閾値よりも小さくなるまで、反復的に続けることをさらに含む請求項３記載の方法。
【請求項５】
前記解ベクトルの前記推定値の前記判断が、
各送信アンテナにおけるＯＦＤＭ周波数ビンの各ビンへ等しいエネルギーレベルを最初に割り当てることと、
各送信アンテナおよびＯＦＤＭ周波数ビンにおいて、前記アンテナの各々の前記周波数ビンの各々における信号対雑音比（Γｍ（ｎ））を、各ビンへの前記割り当てられた等しいエネルギーレベルに基づいて計算することと、
水注入式の組を満足させる一方で、前記計算されたΓｍ（ｎ）に基づいて、各アンテナにおけるビンエネルギーレベルと水注入パラメータとを判断することとを含み、
前記解ベクトルの前記推定値の前記判断が、各ビンの前記判断されたエネルギーレベルと前記水注入パラメータとに基づく請求項３記載の方法。
【請求項６】
前記反復方式が、訂正ベクトルとステップ乗数とに基づいて、前記判断された解ベクトルを訂正することを含む請求項５記載の方法。
【請求項７】
前記訂正ベクトルが、前記判断された解ベクトルのヤコビアンと前記誤差関数とに基づく請求項６記載の方法。
【請求項８】
各反復ステップにおいて、前記訂正ベクトルを調節して、新しい解ベクトルを判断する請求項６記載の方法。
【請求項９】
各反復ステップの後で、新しい誤差の大きさを判断し、新しい誤差の大きさと前記誤差の閾値とを比較するステップをさらに含む請求項８記載の方法。
【請求項１０】
各アンテナにおける電力が制限されているＭＩＭＯ通信システムにおいて、各送信アンテナにおける各ＯＦＤＭ周波数ビンへのビンエネルギーレベルの割り当てを判断するための装置であって、
各アンテナにおける各ＯＦＤＭ周波数ビンへの前記割り当てのビンエネルギーレベルの成分を含む解ベクトルの推定値を判断するための手段と、
前記判断された解ベクトルに基づいて、誤差関数を判断するための手段と、
前記判断された誤差関数に基づいて、誤差の大きさを判断するための手段と、
前記誤差の大きさと誤差の閾値とを比較するための手段と、
前記誤差の大きさが前記誤差の閾値よりも小さいときは、前記割り当てのビンエネルギーレベルの前記成分と共に、前記解ベクトルの推定値を受け取るための手段とを含む装置。
【請求項１１】
前記解ベクトルの前記推定値の前記判断、前記誤差関数と前記誤差の大きさとの前記判断、および前記誤差の大きさと前記誤差の閾値との比較を、前記誤差の大きさが前記誤差の閾値よりも小さくなるまで、反復的に続けるための手段をさらに含む請求項１０記載の装置。
【請求項１２】
前記解ベクトルの前記推定値を判断するための前記手段が、
前記送信アンテナにおけるＯＦＤＭ周波数ビンの各ビンへ、等しいエネルギーレベルを最初に割り当てるための手段と、
各送信アンテナおよびＯＦＤＭ周波数ビンにおける信号対雑音比Γｍ（ｎ）を、各ビンへの前記割り当てられた等しいエネルギーレベルに基づいて計算するため手段と、
水注入式の組を満足させる一方で、前記計算されたΓｍ（ｎ）に基づいて、各アンテナにおけるビンエネルギーレベルと水注入パラメータとを判断するための手段とを含み、
前記解ベクトルの前記推定値の前記判断が、各ビンの前記判断されたエネルギーレベルと前記水注入パラメータとに基づく請求項１０記載の装置。
【請求項１３】
前記反復方式が、訂正ベクトルとステップ乗数とに基づいて、前記判断された解ベクトルを訂正することを含む請求項１１記載の装置。
【請求項１４】
前記訂正係数が、前記判断された解ベクトルのヤコビアンと前記誤差関数とに基づく請求項１３記載の装置。
【請求項１５】
各反復ステップにおいて、前記訂正ベクトルを調節して、新しい解ベクトルを判断する請求項１１記載の装置。
【請求項１６】
各反復ステップの後で、新しい誤差の大きさを判断し、かつ新しい誤差の大きさと前記誤差の閾値とを比較するための手段をさらに含む請求項１５記載の装置。
【請求項１７】
各アンテナにおける電力が制限されているＭＩＭＯ通信システムにおいて使用するように構成され、各送信アンテナにおける各ＯＦＤＭ周波数ビンへのビンエネルギーレベルの割り当てを判断するためのプロセッサであって、
前記通信システムにおいて送信機へ結合するための送信チャネルプロセッサを含み、
前記送信チャネルプロセッサが、
前記送信機の各アンテナにおける各ＯＦＤＭ周波数ビンへの前記割り当てのビンエネルギーレベルの成分を含む解ベクトルの推定値を判断し、
前記判断された解ベクトルに基づいて、誤差関数を判断し、
前記判断された誤差関数に基づいて、誤差の大きさを判断し、
前記誤差の大きさと誤差の閾値とを比較し、かつ、
前記誤差の大きさが前記誤差の閾値よりも小さいときは、前記割り当てのビンエネルギーレベルの前記成分と共に、前記解ベクトルの前記推定値を受け取るように構成されているプロセッサ。
【請求項１８】
前記送信チャネルプロセッサが、前記解ベクトルの前記推定値の前記判断、前記誤差関数と前記誤差の大きさとの前記判断、および前記誤差の大きさと前記誤差の閾値との前記比較を、前記誤差の大きさが前記誤差の閾値よりも小さくなるまで、反復的に続けるようにも構成されている請求項１７記載のプロセッサ。
【請求項１９】
前記解ベクトルの前記推定値の前記判断が、
前記送信アンテナにおけるＯＦＤＭ周波数ビンの各ビンへ等しいエネルギーレベルを最初に割り当てることと、
各送信アンテナおよびＯＦＤＭ周波数ビンにおける信号対雑音比Γｍ（ｎ）を、各ビンへの前記割り当てられた等しいエネルギーレベルに基づいて計算することと、
水注入式の組を満足させる一方で、前記計算されたΓｍ（ｎ）に基づいて、各アンテナにおけるビンエネルギーレベルと水注入パラメータとを判断することとを含み、
前記解ベクトルの前記推定値の前記判断が、各ビンの前記判断されたエネルギーレベルと前記水注入パラメータとに基づく請求項１７記載のプロセッサ。
【請求項２０】
前記反復方式が、訂正ベクトルとステップ乗数とに基づいて、前記判断された解ベクトルを訂正することを含む請求項１７記載のプロセッサ。
【請求項２１】
前記訂正ベクトルが、前記判断された解ベクトルのヤコビアンと前記誤差関数とに基づく請求項２０記載のプロセッサ。
【請求項２２】
各反復ステップにおいて、前記訂正ベクトルを調節して、新しい解ベクトルを判断する請求項２０記載のプロセッサ。
【請求項２３】
各反復ステップの後で、新しい誤差の大きさを判断して、新しい誤差の大きさと前記誤差の閾値とを比較するステップをさらに含む請求項２２記載のプロセッサ。